(57)【要約】【課題】複数の通信装置からの同時的な接続を考慮し、各通信装置からの実行要求に応じて実行する情報処理の安全性を向上させることができる情報処理システム、該情報処理システムを構成する情報処理装置、及び情報処理方法を提供する。【解決手段】複合機（情報処理装置）は、アクセスキーを発行し（Ｓ１０２）、情報端末装置（通信装置）から実行要求を受信した場合（Ｓ１０５：ＹＥＳ）、ステップＳ１０２で発行したアクセスキーを受信したと判断した場合のみ（Ｓ１０６：ＹＥＳ、Ｓ１０７：ＹＥＳ）、実行を許可してスキャン（所定の情報処理）を実行する（Ｓ１０９）。【選択図】図３
2013187836.tif 000002
【特許請求の範囲】
【請求項１】
無線通信により情報を送受信し、前記情報に対する情報処理の実行要求を送信する通信装置と、該通信装置との間で情報を送受信し、前記通信装置から受信する実行要求に応じて所定の情報処理を実行する情報処理装置とを含む情報処理システムにおいて、
前記情報処理装置は、前記所定の情報処理の実行許可に係る許可情報を生成する生成手段を備え、
前記通信装置は、前記許可情報を取得する取得手段と、
取得した許可情報を実行要求と共に送信する手段と
を備え、
前記情報処理装置は更に、
受信した実行要求と共に、前記生成手段が生成した許可情報を受信したか否かを判断する手段と、
該手段により許可情報を受信したと判断した場合、前記実行要求に基づく前記所定の情報処理の実行を許可する手段と
を備えることを特徴とする情報処理システム。
【請求項２】
前記情報処理装置は、前記生成手段が生成した許可情報を表示させる表示手段を更に備えること
を特徴とする請求項１に記載の情報処理システム。
【請求項３】
前記情報処理装置は、前記生成手段が許可情報を生成してから一定期間経過後、前記許可情報を無効化する手段を更に備えること
を特徴とする請求項１又は２に記載の情報処理システム。
【請求項４】
前記通信装置は、該通信装置が接続しているネットワークに接続されている装置への応答要求を送信する手段を備え、
前記情報処理装置は、
前記応答要求に対し、自身の情報、及び、前記生成手段が生成した許可情報を応答する手段を更に備えること
を特徴とする請求項１から３のいずれか１つに記載の情報処理システム。
【請求項５】
認証情報を受け付け、該認証情報に基づき操作に対する認証を実施する認証手段と、
該認証手段により認証がされていない場合、前記通信装置との情報の送受信を禁止する手段と
を更に備えることを特徴とする請求項１から４のいずれか１つに記載の情報処理システム。
【請求項６】
前記実行要求の送信元を特定する情報と、前記認証情報とを関連付けて記憶する手段を更に備えること
を特徴とする請求項５に記載の情報処理システム。
【請求項７】
前記所定の情報処理は、複数の異なる情報処理であり、
前記通信装置は、情報処理の内容を特定する特定情報を付加して実行要求を送信するようにしてあり、
前記情報処理装置は、
実行要求を受信した場合、前記実行要求の送信元を特定する情報に関連付けられる認証情報別に、前記実行要求に付加されている前記特定情報で特定される内容を記憶する手段を更に備えること
を特徴とする請求項６に記載の情報処理システム。
【請求項８】
前記所定の情報処理は、原稿の読取及び画像データの生成、又は画像データの受信及び該画像データに基づく印刷出力を含むこと
を特徴とする請求項１から７のいずれか１つに記載の情報処理システム。
【請求項９】
無線通信により外部装置と接続し、情報を送受信し、前記外部装置から前記情報に対する情報処理の実行要求を受信し、該実行要求に応じて所定の情報処理を行なう情報処理装置において、
前記所定の情報処理の実行許可に係る許可情報を生成する生成手段と、
受信した実行要求と共に、前記生成手段が生成した許可情報を受信したか否かを判断する手段と、
該手段により許可情報を受信したと判断した場合、前記実行要求に基づく前記所定の情報処理の実行を許可する手段と
を備えることを特徴とする情報処理装置。
【請求項１０】
無線通信により情報を送受信し、前記情報に対する情報処理の実行要求を送信する通信装置と、該通信装置との間で情報を送受信し、前記通信装置から受信する実行要求に応じて所定の情報処理を実行する情報処理装置とを含む情報処理システムにおける情報処理方法において、
前記情報処理装置が、前記所定の情報処理の実行許可に係る許可情報を生成し、
前記通信装置は、
前記許可情報を取得し、
取得した許可情報を実行要求と共に送信し、
前記情報処理装置は、
実行要求を受信した場合、前記実行要求と共に、生成した許可情報を受信したか否かを判断し、
受信したと判断した場合、前記実行要求に応じた所定の情報処理の実行を許可する
ことを特徴とする情報処理方法。
【発明の詳細な説明】
【技術分野】
【０００１】
本発明は、通信装置と情報処理装置とが、無線通信により情報を送受信する情報処理システムに関する。特に、接続の安全性を向上させることができる情報処理システム、該情報処理システムを構成する情報処理装置、及び通信装置と情報処理装置との間の情報処理方法に関する。
【背景技術】
【０００２】
所謂スマートフォンと呼ばれる可搬型の通信装置が広く普及している。この手の通信装置は、カメラ、ゲーム、及びメディアプレーヤーなどの機能に加え、種々のアプリケーションを追加して多様な機能を持たせることができるなど利便性が高い。
【０００３】
昨今では、無線通信機能を有する複合機（ＭＦＰ：Multi Function Peripheral ）が接続されているネットワークに、通信装置が無線通信により接続し、通信装置が複合機との間で情報を送受信する技術が普及している。なかでも、カメラ機能を有する通信装置から無線通信により、ネットワーク内の複合機へ画像データを送信し、記憶媒体、ＵＳＢケーブル、又はパーソナルコンピュータ等を介さずに複合機にて直接的に印刷出力することが可能なシステムが実現されている。また、複合機にて原稿を読み取って得られた画像の画像データを通信装置へ送信させる仕組みも提案されている。
【０００４】
特許文献１には、携帯電話機（通信装置）から画像データと加工処理のための設定情報をプリンタ（複合機）へ送信して印刷させるシステムが開示されている。
【先行技術文献】
【特許文献】
【０００５】
【特許文献１】特開２０１１−０５６８８８号公報
【発明の概要】
【発明が解決しようとする課題】
【０００６】
特許文献１などで、通信装置と複合機との間で画像データ等のデータを送受信するシステムが種々提案されているが、複数のユーザが夫々所持する通信装置と、１台の複合機との間の通信接続の安全性についての考慮は不十分である。
【０００７】
例えば、ユーザＡが複合機にてスキャンを実行しようとするまさにその瞬間に、他のユーザＢが通信装置から複合機へスキャン実行処理に関する送信先等を含む設定情報を送信した場合、ユーザＡの操作により実行されたスキャンの結果得られた画像データが、ユーザＢの通信装置へ送信されるような事態が発生し得る。
【０００８】
したがって、複数の通信装置からの接続を排他的に処理するなどの安全面を考慮した技術が必要である。
【０００９】
本発明は斯かる事情に鑑みてなされたものであり、複数の通信装置からの同時的な接続を考慮し、各通信装置からの実行要求に応じて実行する情報処理の安全性を向上させることができる情報処理システム、該情報処理システムを構成する情報処理装置、及び情報処理方法を提供することを目的とする。
【課題を解決するための手段】
【００１０】
本発明に係る情報処理システムは、無線通信により情報を送受信し、前記情報に対する情報処理の実行要求を送信する通信装置と、該通信装置との間で情報を送受信し、前記通信装置から受信する実行要求に応じて所定の情報処理を実行する情報処理装置とを含む情報処理システムにおいて、前記情報処理装置は、前記所定の情報処理の実行許可に係る許可情報を生成する生成手段を備え、前記通信装置は、前記許可情報を取得する取得手段と、取得した許可情報を実行要求と共に送信する手段とを備え、前記情報処理装置は更に、受信した実行要求と共に、前記生成手段が生成した許可情報を受信したか否かを判断する手段と、該手段により許可情報を受信したと判断した場合、前記実行要求に基づく前記所定の情報処理の実行を許可する手段とを備えることを特徴とする。
【００１１】
本発明に係る情報処理システムは、前記情報処理装置は、前記生成手段が生成した許可情報を表示させる表示手段を更に備えることを特徴とする。
【００１２】
本発明に係る情報処理システムは、前記情報処理装置は、前記生成手段が許可情報を生成してから一定期間経過後、前記許可情報を無効化する手段を更に備えることを特徴とする。
【００１３】
本発明に係る情報処理システムは、前記通信装置は、該通信装置が接続しているネットワークに接続されている装置への応答要求を送信する手段を備え、前記情報処理装置は、前記応答要求に対し、自身の情報、及び、前記生成手段が生成した許可情報を応答する手段を更に備えることを特徴とする。
【００１４】
本発明に係る情報処理システムは、認証情報を受け付け、該認証情報に基づき操作に対する認証を実施する認証手段と、該認証手段により認証がされていない場合、前記通信装置との情報の送受信を禁止する手段とを更に備えることを特徴とする。
【００１５】
本発明に係る情報処理システムは、前記実行要求の送信元を特定する情報と、前記認証情報とを関連付けて記憶する手段を更に備えることを特徴とする。
【００１６】
本発明に係る情報処理システムは、前記所定の情報処理は、複数の異なる情報処理であり、前記通信装置は、情報処理の内容を特定する特定情報を付加して実行要求を送信するようにしてあり、前記情報処理装置は、実行要求を受信した場合、前記実行要求の送信元を特定する情報に関連付けられる認証情報別に、前記実行要求に付加されている前記特定情報で特定される内容を記憶する手段を更に備えることを特徴とする。
【００１７】
本発明に係る情報処理システムは、前記所定の情報処理は、原稿の読取及び画像データの生成、又は画像データの受信及び該画像データに基づく印刷出力を含むことを特徴とする。
【００１８】
本発明に係る情報処理装置は、無線通信により外部装置と接続し、情報を送受信し、前記外部装置から前記情報に対する情報処理の実行要求を受信し、該実行要求に応じて所定の情報処理を行なう情報処理装置において、前記所定の情報処理の実行許可に係る許可情報を生成する生成手段と、受信した実行要求と共に、前記生成手段が生成した許可情報を受信したか否かを判断する手段と、該手段により許可情報を受信したと判断した場合、前記実行要求に基づく前記所定の情報処理の実行を許可する手段とを備えることを特徴とする。
【００１９】
本発明に係る情報処理方法は、無線通信により情報を送受信し、前記情報に対する情報処理の実行要求を送信する通信装置と、該通信装置との間で情報を送受信し、前記通信装置から受信する実行要求に応じて所定の情報処理を実行する情報処理装置とを含む情報処理システムにおける情報処理方法において、前記情報処理装置が、前記所定の情報処理の実行許可に係る許可情報を生成し、前記通信装置は、前記許可情報を取得し、取得した許可情報を実行要求と共に送信し、前記情報処理装置は、実行要求を受信した場合、前記実行要求と共に、生成した許可情報を受信したか否かを判断し、受信したと判断した場合、前記実行要求に応じた所定の情報処理の実行を許可することを特徴とする。
【００２０】
本発明では、情報処理装置は、正当な許可情報（生成手段が生成した許可情報）を通信装置から受信した場合のみ、当該通信装置からの実行要求に対する所定の情報処理を実行する。なお、通信装置が実行要求と共に許可情報を送信する形態としては、許可情報を実行要求に含めて送信してもよいし、実行要求と許可情報とを連続して送信する構成でもよい。また、実行要求及び許可情報の両者に共通する番号を含めて送信する構成としてもよい。
【００２１】
本発明では、情報処理装置にて生成した許可情報は、表示手段により表示される。通信装置は、情報処理装置にて表示された許可情報を認識したユーザによる許可情報の入力を受け付けることにより、許可情報を取得すればよい。これにより、表示された許可情報を取得できた通信装置からの実行要求に対する情報処理のみが許可される。
【００２２】
本発明では、情報処理装置にて生成された許可情報は、生成されてから一定時間経過後は無効化される。これにより、不当に取得された許可情報が共に送信される実行要求に対する情報処理については許可されない。
【００２３】
本発明では、通信装置が、自身が接続しているネットワークに接続されている各装置の情報を取得すべく応答要求を送信する場合に、情報処理装置が当該応答要求に対し、自身のアドレスなどを含む情報に、許可情報を加えて応答する。これにより、通信装置は自動的に許可情報を取得することが可能となる。
【００２４】
本発明では、情報処理装置が認証機能を備えている場合に、認証されていない間は、通信装置から実行要求が送信されたとしても情報の送受信が禁止される。これにより、不当な実行要求に対する情報処理の実行を防ぐことが可能となる。
【００２５】
本発明では、実行要求の送信元を特定する情報と、認証情報とが関連付けて記憶される。送信元を特定する情報とは、通信装置の識別情報、又はユーザ名などの識別情報でよい。これにより、無線通信により接続される通信装置からの所定の情報処理の記録を、情報処理装置での認証情報と対応付けることができ、管理することが可能となる。
【００２６】
本発明では、実行要求の送信元と関連付けられる認証情報に対応付けて、実行要求の内容が記録される。これにより、ユーザ別にどのような情報処理が実行されたかを記録することが可能である。実行要求の内容の記録として、ログ情報、又は情報処理の内容別に実行回数を計数などを記録してもよい。
【００２７】
本発明では、所定の情報処理とは原稿の読取及び画像データの送信、又は受信する画像データの印刷出力である。これらの情報処理を通信装置からの実行要求に対して実行するに際し、許可情報が共に送信される場合のみ、実行が許可される。
【発明の効果】
【００２８】
本発明による場合、正当な許可情報（生成手段が生成した許可情報）を通信装置から受信した場合のみ、当該通信装置からの実行要求に対する所定の情報処理を実行する。したがって、通信装置からの実行要求に関する安全性を向上させることができる。複数の通信装置から同時的に実行要求が送信された場合であっても、その時点で有効な許可情報が共に送信された場合のみ実行要求に対する情報処理が実行され、誤って処理が実行されることを防止することが可能である。
【図面の簡単な説明】
【００２９】
【図１】実施の形態１の情報処理システムの構成を模式的に示す模式図である。
【図２】実施の形態１の情報処理システムの構成を示すブロック図である。
【図３】実施の形態１におけるスキャン実行時の複合機での処理手順の一例を示すフローチャートである。
【図４】複合機の表示部に表示される初期画面の画面例を示す説明図である。
【図５】モバイル送信機能の操作画面の画面例を示す説明図である。
【図６】実施の形態１におけるスキャン実行時の情報端末装置での処理手順の一例を示すフローチャートである。
【図７】情報端末装置におけるアクセスキー及び設定情報の入力画面の例を示す説明図である。
【図８】画像データの受信開始待機状態の画面例を示す説明図である。
【図９】画像データの受信完了待機状態の画面例を示す説明図である。
【図１０】画像データの受信完了を表す画面例を示す説明図である。
【図１１】実施の形態２におけるスキャン実行時の複合機での処理手順の一例を示すフローチャートである。
【図１２】実施の形態２におけるスキャン実行時の情報端末装置での処理手順の一例を示すフローチャートである。
【図１３】実施の形態３における情報処理システムの構成を示すブロック図である。
【図１４】実施の形態３におけるスキャン実行時の複合機での処理手順の一例を示すフローチャートである。
【図１５】認証情報の入力画面の画面例を示す説明図である。
【図１６】実行履歴の内容例を示す説明図である。
【発明を実施するための形態】
【００３０】
以下、本発明をその実施の形態を示す図面に基づき具体的に説明する。
【００３１】
（実施の形態１）
図１は、実施の形態１の情報処理システムの構成を模式的に示す模式図であり、図２は、実施の形態１の情報処理システムの構成を示すブロック図である。情報処理システムは、企業内又は家庭内ＬＡＮであるネットワークＮに、アクセスポイントＡＰを介して接続される複合機１と、複数の情報端末装置２とを含む。ネットワークＮには、複合機１及び情報端末装置２以外に、ＰＣ３又は複合機４が接続されている。ネットワークＮは、外部のインターネットと接続されていてもよい。
【００３２】
本発明では、複数の情報端末装置２が存在する場合でも、複合機１にて発行したアクセスキー（許可情報）を含む実行要求に対してのみスキャンを実行し、得られる画像データの情報端末装置２への送信処理を誤りなく実行し、安全性を向上させるものである。
【００３３】
複合機１は、プリンタ機能、スキャナ機能、ファックス機能、電子メール通信機能等を備えた情報処理装置である。複合機１は、各構成部を制御する制御部１０と、タッチパネル及びＬＣＤ（Liquid Cristal Display）を用いた入出力部１１と、一時的に情報を記憶する一時記憶部１２と、各種情報を記憶する記憶部１３と、通信を実現する通信部１４と、アクセスキー発行部１５と、スキャナ機能を実現する画像読取部１６と、プリンタ機能を実現する画像形成部１７とを備える。
【００３４】
制御部１０は、ＣＰＵ（Central Processing Unit ）を用い、内蔵するＲＯＭ（Read Only Memory）に記憶されている制御プログラムに基づき、各構成部を制御する。
【００３５】
入出力部１１は、ＬＣＤを用いた表示部１１ａとタッチパネルを用いた入力部１１ｂとを含む。入力部１１ｂは、タッチパネルのみならず、ハードウェアキーを用いてもよい。各種アイコン又はボタンを表示している表示部１１ａに対し、ユーザが触れたタッチパネル上の位置を入力部１１ｂが検知する。ユーザが触れた位置情報と表示部１１ａにて表示されているアイコン又はボタンの位置情報とに基づき、制御部１０は、いずれのアイコン又はボタンがタッチされたかを特定することが可能である。また制御部１０は、いずれのハードウェアキーが押下されたかを特定することが可能である。
【００３６】
一時記憶部１２は、ＤＲＡＭ（Dynamic Random Access Memory）又はＳＲＡＭ（ Static Random Access Memory）等のＲＡＭを用いる。一時記憶部１２は、制御部１０の処理によって発生する各種処理用の一時的な情報を記憶する。また、一時記憶部１２は、複合機１のスキャン又はプリンタ機能へ無線通信を介してアクセスするためのアクセスキー（許可情報）を記憶する。アクセスキーについては後述にて詳細に説明する。
【００３７】
記憶部１３は、ＨＤＤ（Hard Disk Drive ）又はＳＳＤ（Solid State Drive ）を用いる。記憶部１３には、ファックス機能、電子メール通信機能、ＦＴＰ（File Transfer Protocol）通信機能のためのアドレス情報が記憶されていてもよい。また記憶部１３は、画像読取部１６によって読み取られた画像データ、又は通信部１４を介して受信した画像データを記憶してもよい。
【００３８】
通信部１４は、無線通信機能を実現する。制御部１０は、通信部１４により、アクセスポイントＡＰを介して、ネットワークＮに接続される情報端末装置２及び他の通信機器との間で種々のコマンド又は画像データ等を送受信することが可能である。
【００３９】
アクセスキー発行部１５は、制御部１０からの指示に基づき、情報端末装置２からの情報処理の実行要求に対して許可をするためのアクセスキーを発行する。アクセスキー発行部１５は、例えば７桁の英数字からなるアクセスキーを、乱数を元にランダムに作成する。またアクセスキーは、１回のスキャン実行に対し有効である。アクセスキーの生成方法は、多様な方法にて実現可能である。なお、アクセスキー発行部１５はソフトウェア的に実現される。勿論、アクセスキー発行部１５としてハードウェア的に回路として備えられている構成としてもよい。
【００４０】
画像読取部１６は、スキャナユニットを用いる。スキャナユニットは、原稿台１６ａ又は原稿トレイに載置された原稿を光学的に読み取るための読取装置であり、複合機１の本体内部に光学ユニットと光学ユニットによる読み取り動作を制御するための制御ユニットとを含む。画像読取部１６は、原稿を読み取ることで得られた画像データを所定の画像メモリに出力し、制御部１０は当該画像メモリから画像データを取得することが可能である。
【００４１】
画像形成部１７は、プリンタユニットを用いる。プリンタユニットは、複合機１の本体内部に、スキャナユニットの下側に配置される。プリンタユニットは、制御部１０から与えられた画像データに基づいてトナー像を生成し、トナー像を用紙上に転写することによって画像形成を行なう。
【００４２】
情報端末装置２は、所謂スマートフォンと呼ばれる携帯電話機である。情報端末装置２は、タブレット型ＰＣ（パーソナルコンピュータ）であってもよい。情報端末装置２は有線により接続されるＰＣ等であってもよい。
【００４３】
情報端末装置２は、各構成部を制御する制御部２０と、タッチパネルを用いた入出力部２１と、各種情報を記憶する記憶部２２と、アクセスポイントＡＰを介して複合機１と通信を実現する通信部２３とを備える。
【００４４】
制御部２０は、ＣＰＵを用い、内蔵するＲＯＭに記憶されている制御プログラムに基づき、各構成部を制御する。
【００４５】
入出力部２１は、ＬＣＤを用いて表示部２１ａとタッチパネル及びハードウェアキーを用いた入力部２１ｂとを含む。各種アイコン又はボタンを表示している表示部２１ａに対し、ユーザが触れたタッチパネル上の位置を入力部２１ｂが検知し、入力部２１ｂはユーザが触れた位置情報を制御部２０へ通知する。制御部２０は、表示部２１ａにて表示されているアイコン又はボタンの位置情報に基づき、いずれのアイコン又はボタンがタッチされたかを特定することが可能である。また入力部１２ｂは、ハードウェアキーが押下された場合、いずれのキーが押下されたかを特定する情報と共に制御部２０へ通知する。
【００４６】
記憶部２２は、ＲＡＭ及びフラッシュメモリを用いる。記憶部２２のフラッシュメモリには、ネットワークＮに接続される複合機１にて画像データの印刷出力又は原稿読取を行なうために用いられるアプリケーションプログラム（以下、プリントスキャン用アプリという）が記憶されている。制御部２０は、記憶部２２に記憶されているプリントスキャン用アプリを読み出して実行することにより、後述する複合機１との通信、及び複合機１からの画像データの受信を実現する。制御部２０は、通信部２３により受信した画像データを記憶部２２のＲＡＭに一時的に記憶するか、又は保存用にフラッシュメモリに記憶する。
【００４７】
また、記憶部２２には、プリントスキャン用アプリに対応させて、設定情報として、受信する画像データを読み取る際の解像度設定、ファイルタイプ（フォーマット）、カラー／モノクローム設定、読み取る原稿のサイズ、及び作成する画像データのサイズ（縮小の有無）などの設定情報が記憶されている。設定情報は、プリントスキャン用アプリにて初期的に設定されており、後に、プリントスキャン用アプリを介してユーザが編集することが可能である。設定情報は異なる複合機毎に別途記憶されるようにしてもよい。また設定情報には、情報端末装置２のユーザ名（ユーザＩＤ）を含んでもよい。
【００４８】
通信部２３は、無線通信機能を実現する。制御部２０からの指示に基づき、通信部２３はアクセスポイントＡＰに接続し、ネットワークＮに接続する。制御部２０は、通信部２３により、アクセスポイントＡＰを介して、ネットワークＮに接続される複合機１及び他の通信機器との間でコマンド及び画像データを送受信することが可能である。
【００４９】
このように構成される情報処理システムにて、情報端末装置２から、複合機１にて原稿のスキャンを実行させて画像データの送信を要求し、情報端末装置２にて画像データを受信する手順について、フローチャート及び操作画面例を参照しつつ説明する。
【００５０】
図３は、実施の形態１におけるスキャン実行時の複合機１での処理手順の一例を示すフローチャートである。以下に示す処理手順は、後述する図６のフローチャートに示す通信端末装置２における処理手順と対応する。複合機１にて、表示部１１ａに初期画面を表示して待機している状態で、以下の処理を実行する。
【００５１】
制御部１０は、表示部１１ａに表示している初期画面にて、入力部１１ｂにて、スキャンによって得られる画像データの情報端末装置２への送信の機能（以下、モバイル送信機能という）が選択されたか否かを判断する（ステップＳ１０１）。
【００５２】
制御部１０は、モバイル送信機能が選択されていないと判断した場合（Ｓ１０１：ＮＯ）、処理をステップＳ１０１へ戻し、モバイル送信機能が選択されたと判断するまで待機する。
【００５３】
制御部１０は、モバイル送信機能が選択されたと判断した場合（Ｓ１０１：ＹＥＳ）、アクセスキー発行部１５へアクセスキーの発行を指示する（ステップＳ１０２）。制御部１０は、アクセスキー発行部１５により発行されたアクセスキーを一時記憶部１２に記憶する（ステップＳ１０３）。制御部１０は、表示部１１ａに、モバイル送信機能の操作画面を出力して当該画面内に取得したアクセスキーを表示させる（ステップＳ１０４）。ここで複合機１では、モバイル送信機能に関して待機状態となる。
【００５４】
図４は、複合機１の表示部１１ａに表示される初期画面の画面例を示し、図５は、モバイル送信機能の操作画面の画面例を示す説明図である。図４に示すように、初期画面には例えば、コピー及びＦＡＸの機能に加え、「モバイル送信」という機能に対応する操作画面が夫々タブで表示されている。「モバイル送信」の操作画面はタブ１１０で表示されている。表示部１１ａに表示されている「モバイル送信」のタブ１１０上のタッチパネルにユーザが触れた場合、入力部１１ｂがこれを検知し、制御部１０はモバイル送信機能が選択されたと判断し（Ｓ１０１：ＹＥＳ）、「モバイル送信」の操作画面を表示部１１ａに表示している（Ｓ１０４）。
【００５５】
そして図５に示すように、表示部１１ａに表示されている「モバイル送信」の操作画面には、アクセスキーが出力されている。これにより、情報端末装置２のユーザは、アクセスキーを認識することができる。図５の例では、アクセスキーの文字列が表示されているが、これにかぎらず、アクセスキーの文字列に対応するバーコード、又は二次元バーコードであってもよい。バーコードで表示される場合、後述する情報端末装置２にてユーザがアクセスキーの入力操作を行なう替わりに、ユーザは情報端末装置２が有するカメラ機能にてバーコードを撮像すればよい。このとき情報端末装置２の制御部２０は、撮像したバーコードを解読してアクセスキーを取得する。
【００５６】
次に複合機１の制御部１０は、スキャンの実行要求を通信部１４により受信したか否かを判断する（ステップＳ１０５）。
【００５７】
制御部１０は、スキャンの実行要求を受信したと判断した場合（Ｓ１０５：ＹＥＳ）、実行要求と共にアクセスキーを受信したか否かを判断する（ステップＳ１０６）。制御部１０は、アクセスキーを受信したと判断した場合（Ｓ１０６：ＹＥＳ）、受信したアクセスキーと、一時記憶部１２に記憶してあるアクセスキー発行部１５が発行したアクセスキーとが一致するか否かを判断する（ステップＳ１０７）。
【００５８】
制御部１０は、ステップＳ１０７にて一致すると判断した場合（Ｓ１０７：ＹＥＳ）、実行を許可する応答を情報端末装置２へ送信する（ステップＳ１０８）。
【００５９】
制御部１０は実行を許可すると（Ｓ１０８）、画像読取部１６により、受信した設定情報に基づき画像読取部１６によるスキャン（読取）を実行し（ステップＳ１０９）、設定情報に基づき画像データを生成する（ステップＳ１１０）。制御部１０は、情報端末装置２へ、生成した画像データを送信する（ステップＳ１１１）。制御部１０は、画像データの送信を完了すると処理を終了する。
【００６０】
制御部１０は、スキャンの実行要求を受信していないと判断した場合（Ｓ１０５：ＮＯ）、ステップＳ１０２でのアクセスキーの発行から一定時間が経過したか否かを判断する（ステップＳ１１２）。制御部１０は、一定期間が経過していないと判断した場合（Ｓ１１２：ＮＯ）、処理をステップＳ１０５へ戻し、待機状態を継続する。
【００６１】
制御部１０は、ステップＳ１１２にて、スキャンの実行要求を未受信のまま一定期間が経過したと判断した場合（Ｓ１１２：ＹＥＳ）、ステップＳ１０２で発行されたアクセスキーを破棄（無効化）し（ステップＳ１１３）、処理を終了する。このとき制御部１０は、表示部１１ａに初期画面を表示した状態に戻る。以後、制御部１０は、ステップＳ１０２で発行されたアクセスキーと共に送信された実行要求を受信したとしても、ステップＳ１０７にて、発行されたアクセスキーと一致しないと判断する。
【００６２】
また制御部１０は、ステップＳ１０６でアクセスキーを受信していないと判断した場合（Ｓ１０６：ＮＯ）、及び、受信したけれどもアクセスキーが発行して記憶してあるアクセスキーと一致しないと判断した場合（Ｓ１０７：ＮＯ）、実行不許可とする応答を情報端末装置２へ送信し（ステップＳ１１４）、処理をステップＳ１０５へ戻し、待機状態に戻る。
【００６３】
なお、上述の処理では、スキャンの実行は実行要求に応じて直ちに実行される構成である。しかしながらこれに限らず、実行許可の応答を送信した後（Ｓ１０８）、ユーザが複合機１で設定情報の編集を受け付ける画面を出力し、該画面にスタートボタンを表示させて、スタートボタン上のタッチパネルがタッチされたときにスキャンを実行する構成としてもよい。
【００６４】
上述した複合機１での処理に対応する情報端末装置２での処理について説明する。図６は、実施の形態１におけるスキャン実行時の情報端末装置２での処理手順の一例を示すフローチャートである。情報端末装置２では、ユーザの操作によって、制御部２０がプリントスキャン用アプリを読み出して起動させることにより、以下のような処理が実行される。
【００６５】
情報端末装置２の制御部２０は、通信部２３を起動させ、無線通信を有効化する（ステップＳ２０１）。そして制御部２０は、スキャン及び画像データの送信という処理の実行要求先である複合機１についての情報、具体的にはＩＰアドレスの情報及び複合機１での実行要求に係るアクセスキーの入力を受け付ける（ステップＳ２０２）。
【００６６】
図７は、情報端末装置２におけるアクセスキー及び設定情報の入力画面の例を示す説明図である。図７には、アクセスキー及び設定情報、スキャン実行要求の開始を指示するボタン２１０が表示されている。ユーザがアクセスキー上のタッチパネルに触れた場合、制御部２０が入力画面を出力する。入力画面に対しユーザは、複合機１の表示部１１ａに表示されているアクセスキーを認識しており、タッチパネル上で英数字の入力操作を行なうことによって、アクセスキーを入力することが可能である。
【００６７】
また図７に示す例では、情報端末装置２にて受信する画像データの設定情報として、解像度（３００ｄｐｉ）、画像データのフォーマット（ｐｄｆ）、カラー／モノクローム（モノクロという）設定（カラー）、スキャンする原稿サイズ（Ａ４）、送信する画像データのサイズ（Ａ４）の情報が示されている。ユーザが各項目上のタッチパネルに触れた場合、制御部２０が入力画面を出力し、入力された情報を取得する。これにより、ユーザは設定情報を編集することが可能である。
【００６８】
制御部２０は、入力されたＩＰアドレスの情報及びアクセスキーを取得する（ステップＳ２０３）。なお、ＩＰアドレスについては通信部２３により自動的に取得するようにしてもよい。
【００６９】
次に、制御部２０は、記憶部２２に記憶しているスキャン用の設定情報を読み出し（ステップＳ２０４）、取得したＩＰアドレスの情報に基づき、複合機１へスキャンの実行要求に、ステップＳ２０４で読み出した設定情報及びステップＳ２３で取得したアクセスキーの情報を含めて送信する（ステップＳ２０５）。
【００７０】
情報端末装置２では、制御部２０は、実行要求に対する実行許可の応答を受信したか否か判断する（ステップＳ２０６）。制御部２０は、実行許可の応答を受信した場合（Ｓ２０６：ＹＥＳ）、通信部２３により複合機１から画像データの受信を開始したか否かを判断する（ステップＳ２０７）。制御部２０は、画像データの受信を開始していないと判断した場合（Ｓ２０７：ＮＯ）、画像データの受信開始待機状態を示す画面を出力し（ステップＳ２０８）、処理をステップＳ２０７へ戻す。図８は、画像データの受信開始待機状態の画面例を示す説明図である。図８には、スキャン（読取）実行待ちである旨の文、及びイメージが示されている。
【００７１】
情報端末装置２では、制御部２０は、ステップＳ２０７にて受信を開始したと判断した場合（Ｓ２０７：ＹＥＳ）、受信した画像データを順次、一時的に記憶部２２のＲＡＭに記憶し（ステップＳ２０９）、受信が完了したか否かを判断する（ステップＳ２１０）。制御部２０は、ステップＳ２１０にて受信が完了していないと判断した場合（Ｓ２１０：ＮＯ）、画像データの受信完了待機状態となる。このとき制御部２０は、画像データの受信完了待機状態であることを示す画面を表示部２１ａに出力し（ステップＳ２１１）、処理をステップＳ２０９へ戻す。図９は、画像データの受信完了待機状態の画面例を示す説明図である。図９には、スキャンデータ（画像データ）の受信中である旨の文、及びイメージが示されている。
【００７２】
制御部２０は、ステップＳ２１０にて受信が完了したと判断した場合（Ｓ２１０：ＹＥＳ）、一時的にＲＡＭに記憶した画像データを記憶部２２のフラッシュメモリに保存する（ステップＳ２１２）。このとき制御部２０は、受信が完了したことを示す画面を表示部２１ａに出力する（ステップＳ２１３）。図１０は、画像データの受信完了を表す画面例を示す説明図である。図１０には、受信完了の文、及びイメージが示されている。
【００７３】
制御部２０は、受信が完了したので無線通信を無効化し（ステップＳ２１４）、処理を終了する。
【００７４】
なお、ステップＳ２０６にて実行許可の応答を受信せず、エラーの通知を受信したと判断した場合（Ｓ２０６：ＮＯ）、エラー通知を表示部２１ａに出力し（ステップＳ２１５）、無線通信を無効化し（Ｓ２１４）、処理を終了する。
【００７５】
また制御部２０は、受信が未完了のまま通信が途絶する等の事態が発生した場合には、エラー通知を表示部１１ａに出力し（Ｓ２１５）、無線通信を無効化して（Ｓ２１４）、処理を終了する。音声出力によってエラー通知を行なってもよい。
【００７６】
このような処理により、ユーザは、スキャン対象の原稿を複合機１の原稿台１６ａに載置し、携帯する情報端末装置２にてプリントスキャン用アプリを起動し、スキャン実行に際し複合機１での実行要求に係るアクセスキーを入力してスタートさせると言う操作を行なうことで複合機１のモバイル送信機能を利用することができる。
【００７７】
複合機１では、表示部１１ａに表示させたアクセスキーを認識できたユーザが用いる情報端末装置２からアクセスキーを含む実行要求を受信した場合のみ、モバイル送信機能によってスキャン実行及び画像データの送信が実行される。したがって、例えば、複合機１にて同時的にスキャンを実行しようとするユーザＡ及びユーザＢが存在する場合、ユーザＡがスキャンを実行しようとしているときにユーザＢが情報端末装置２から実行要求を複合機１へ送信させたとしても、当該実行要求にアクセスキーが共に送信されていなければ、ユーザＢからのモバイル送信の実行要求は受け入れられない。アクセスキーを取得するためには複合機１の表示部１１ａにて確認する必要があるから、複合機１を操作しようとするユーザＡ及びユーザＢがお互いに確認し合い、誤送信を防ぐことが可能である。ユーザＡ及びユーザＢが夫々所有する情報端末装置２から同時的に実行要求が送信された場合も、有効なアクセスキーが共に送信されていなければ実行要求は複合機１にて受け入れられないので、有効な実行要求に関するスキャンのみ実行される。
【００７８】
なお、情報端末装置２からの実行要求は画像読取部１６によるスキャン実行に対してのみならず、コピー機能、プリンタ機能（画像形成部１７）、ＦＡＸ送信の処理に対しても同様に可能であってもよい。アクセスキーを含まないコピー機能、プリンタ機能、又はＦＡＸ送信の実行要求に対しては処理を実行しない制御を行なってもよい。
【００７９】
（実施の形態２）
実施の形態１では、アクセスキーは複合機１の表示部１１ａに表示される構成であった。これに対し実施の形態２では、アクセスキーは通信部１４から情報端末装置２へ送信され、これを受信することで情報端末装置２はアクセスキーを取得する。
【００８０】
実施の形態２における情報処理システムの構成は、以下に説明する処理手順の詳細以外は、実施の形態１と同様である。したがって、共通する構成については同一の符号を付し、詳細な説明を省略する。
【００８１】
図１１は、実施の形態２におけるスキャン実行時の複合機１での処理手順の一例を示すフローチャートである。なお、図１１に示す処理手順の内、ステップＳ１０５以降の処理については、図３に示した実施の形態１における処理手順と同様である。したがって、共通する処理については同一のステップ番号を付し、詳細な説明を省略する。
【００８２】
実施の形態２にて複合機１の制御部１０は、ネットワークＮに接続されている通信機器を検索するべくブロードキャストされた検索コマンド（応答要求）を受信したか否かを判断する（ステップＳ１２１）。
【００８３】
制御部１０は、検索コマンドを受信していないと判断した場合（Ｓ１２１：ＮＯ）、処理をステップＳ１２１へ戻し、検索コマンドを受信したと判断するまで待機する。
【００８４】
制御部１０は、検索コマンドを受信したと判断した場合（Ｓ１２１：ＹＥＳ）、通信部１３から自身のＩＰアドレス情報を取得し（ステップＳ１２２）、アクセスキー発行部１５へアクセスキーの発行を指示する（Ｓ１０２）。制御部１０は、アクセスキー発行部１５により発行されたアクセスキーを一時記憶部１２に記憶する（Ｓ１０３）。制御部１０は、ステップＳ１２２で取得したＩＰアドレス情報と共に、ステップＳ１０２で発行されたアクセスキーを、検索コマンドに対する応答として通信部１４から送信する（ステップＳ１２３）。ここで複合機１では、モバイル送信機能に関して待機状態となり、実施の形態１と同様にステップＳ１０５以降の処理に進む。
【００８５】
なお、上述の処理では１つの情報端末装置２からの検索コマンドに対してアクセスキーを発行して応答するまでの処理と、他の情報端末装置２からの検索コマンドに対する処理とは同時的に実行してもよい。このとき夫々の検索コマンドに対するアクセスキーは当然に異なる。そしてこの場合、一方のアクセスキーを含む実行要求を受信した後は、他のアクセスキーに対する処理は同時的に実行できないように排他制御すべきである。勿論、１つのアクセスキーを発行した後は、当該アクセスキーに対する実行要求を受信してスキャン実行及び送信を完了するまで、他の情報端末装置２からの検索コマンドに対する応答をしないように排他的制御する構成としてもよい。
【００８６】
図１２は、実施の形態２におけるスキャン実行時の情報端末装置２での処理手順の一例を示すフローチャートである。なお、図１２に示す処理手順の内、ステップＳ２０４以降の処理については、図６に示した実施の形態１における処理手順と同様である。したがって、共通する処理については同一のステップ番号を付し、詳細な説明を省略する。
【００８７】
情報端末装置２の制御部２０は、プリントスキャン用アプリが起動すると、通信部２３を起動させ、無線通信を有効化する（Ｓ２０１）。そして制御部２０は、通信部２３から、ネットワークＮに接続されている機器へ、各機器自身の種類を示す情報の送信を要求するコマンドを検索コマンドとしてブロードキャストする（ステップＳ２２１）。
【００８８】
制御部２０は、通信部２３により、検索コマンドに対し、複合機１から応答を受信したか否かを判断する（ステップＳ２２２）。制御部２０は、複合機１以外の装置から応答を受信した場合など、応答を受信していないと判断したとき（Ｓ２２２：ＮＯ）、処理をステップＳ２２２へ戻し、複合機１からの応答を受信したと判断するまで待機する。
【００８９】
制御部２０は、複合機１から検索コマンドに対する応答を受信したと判断した場合（Ｓ２２２：ＹＥＳ）、受信した応答に含まれるアドレス情報及びアクセスキーの情報を取得する（ステップＳ２２３）。情報端末装置２では、取得したアドレス情報及びアクセスキーに基づき、実施の形態１同様にステップＳ２０４以降の処理を実行する。
【００９０】
上述のように、アクセスキーを複合機１から情報端末装置２へ、検索コマンドに対する応答として無線通信により送信する構成とすることにより、アクセスキーの入力操作が容易化される。
【００９１】
（実施の形態３）
実施の形態３では、複合機１が認証機能を有している場合に、認証情報を利用して実行要求に対する情報処理の実行を制限すると共に、認証情報と実行された情報処理の内容とを関連付けて管理する。
【００９２】
実施の形態３では、複合機１での認証に成功し、その認証されたユーザによる操作が複合機１で行なわれている間に、情報端末装置２からアクセスキーを含む実行要求が送信され、且つアクセスキーが妥当である場合、認証されたユーザと、スキャン実行の実行要求を情報端末装置２に送信させたユーザとが一致すると考えられる。そこで、情報端末装置２からの実行要求に応じて各機能に係る情報処理を実行した場合に、実行要求を送信させたユーザを、認証されているユーザと特定する。
【００９３】
実施の形態３における情報処理システムの構成は、複合機１が認証機能を備えていることと、以下に説明する複合機１での処理手順の詳細が異なること以外は、実施の形態１と同様である。したがって、共通する構成については同一の符合を付して詳細な説明を省略する。
【００９４】
図１３は、実施の形態３における情報処理システムの構成を示すブロック図である。複合機１は、制御部１０、入出力部１１、一時記憶部１２、記憶部１３、通信部１４、アクセスキー発行部１５、画像読取部１６及び画像形成部１７に加えて、認証処理部１８を備える。
【００９５】
認証処理部１８は、記憶部１３に予め記憶してあるログイン名及びパスワードからなる認証情報と、入力される認証情報とが一致するか否かを判断する。制御部１０は、入出力部１１の入力部１１ｂにて入力される認証情報を認証処理部１８に入力し、認証処理部１８によって予め記憶してある認証情報と一致しないと判断された場合は、入力部１１ｂにおける操作を受け付けない。認証処理部１８は、複合機１外に存在する認証サーバと通信部１４を介して通信し、入力される認証情報が、認証サーバで記憶されている認証情報と一致するか否かを問い合わせる構成としてもよい。
【００９６】
認証処理部１８の機能を利用した場合の実施の形態３におけるスキャン実行時の処理手順について説明する。
【００９７】
図１４は、実施の形態３におけるスキャン実行時の複合機１での処理手順の一例を示すフローチャートである。なお、図１４に示す処理手順は、図３に示した処理手順の前後に処理を加えたものであるから、図３に示した処理手順と共通する手順については同一のステップ番号を付し、詳細な説明を省略する。
【００９８】
実施の形態３にて複合機１の制御部１０は、初期画面よりも前に認証情報（ログイン情報）の入力を促す認証画面を表示部１１ａに表示する（ステップＳ１３１）。制御部１０は、入力部１１ｂにより、表示部１１ａに表示された認証情報の入力画面上のタッチパネルにて認証情報の入力を受け付ける（ステップＳ１３２）。
【００９９】
図１５は、認証情報の入力画面の画面例を示す説明図である。図１５では認証情報としてログイン名及びパスワードの入力が受け付けられる。認証情報の入力は、図１５に示したような画面の他に、生体認証、ＩＣカードなどによるものでもよい。
【０１００】
図１４に戻り、説明を続ける。
制御部１０は、受け付けた認証情報に基づき認証処理部１８にて認証されるか否かを判断する（ステップＳ１３３）。認証されない場合（Ｓ１３３：ＮＯ）、制御部１０は処理をステップ１３１へ戻し、認証画面を表示した状態に戻る。
【０１０１】
ステップＳ１３３にて認証された場合（Ｓ１３３：ＹＥＳ）、制御部１０は、ステップＳ１３２で受け付けた認証情報を一時記憶部１２に記憶しておき（ステップＳ１３４）、図４に示した初期画面を表示部１１ａに表示する（ステップ１３５）。
【０１０２】
以後、初期画面にて、モバイル送信機能が選択されたか否かを判断し（Ｓ１０１）、Ｓ１０２〜Ｓ１１４の処理を実行する。
【０１０３】
受信した実行要求にアクセスキー発行部１５が発行したアクセスキーが含まれており（Ｓ１０７：ＹＥＳ）、スキャンの実行（Ｓ１０９）及び画像データの送信（Ｓ１１１）を行なった場合、制御部１０は、ステップＳ１３４にて一時的に記憶していた認証情報と、ステップＳ１０５で受信した実行要求に含まれる設定情報とに基づき、実行履歴を記憶部１３に記憶する（ステップＳ１３６）。実行履歴は、認証情報別に実行された処理の内容である。
【０１０４】
図１６は、実行履歴の内容例を示す説明図である。図１６の内容例では、ユーザＩＤ毎に、認証情報及び複合機１の機能毎の実行回数が記憶されている。図１６の例では、例えば、ユーザＩＤ「１」に対応させてログイン名「Ｕｓｅｒ１」及びパスワード「Ｐａｓｓ１」の認証情報が関連付けられており、更に、当該ユーザは、コピー機能を１０回、スキャン機能は０回、ＦＡＸ機能は０回、プリント機能は２０回利用したことが記憶されている。同様にしてユーザＩＤ「２」に対応して、ログイン名「Ｕｓｅｒ２」及びパスワード「Ｐａｓｓ２」の認証情報が関連付けられており、更に当該ユーザは、コピー機能を８０回、スキャン機能を１２回、ＦＡＸ機能を５回、プリント機能を２０回利用したことが記憶されている。図１６の内容例に対応するステップＳ１３６の具体的処理内容は、制御部１０は、実行要求に含まれる設定情報のユーザ名を取得し、当該ユーザ名と、一時記憶部１２に記憶していた認証情報とを関連付け、更に、当該ユーザ名に関連付けて、ステップＳ１０９で実行したスキャンの実行回数を１つ加算するというものである。
【０１０５】
なお、ステップＳ１３６の実行履歴は、図１６に示すような例のみならず、ユーザ名又は認証情報に関連付けて「モバイル送信機能によるスキャン実行」というログ情報を記憶部１３に記憶する構成でもよい。
【０１０６】
このように認証情報を利用することにより、認証されていない間は（Ｓ１３３：ＮＯ）、情報端末装置２からの実行要求の受信を受け付けない（禁止する）構成として、情報端末装置２からの処理実行の安全性を向上させることができる。さらに、いずれのユーザによって実行される処理であるかを特定することが困難であった情報端末装置２からの実行要求に基づく情報処理を、ユーザ毎の実行履歴に加えることが可能である。
【０１０７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１０８】
１  複合機（情報処理装置）
１０  制御部
１１  入出力部
１１ａ  表示部
１１ｂ  入力部
１２  一時記憶部
１３  記憶部
１５  アクセスキー発行部（生成手段）
１６  画像読取部
１８  認証処理部
２  情報端末装置（通信装置）
２０  制御部
２１  入出力部
２１ａ  表示部
２１ｂ  入力部
２２  記憶部
２３  通信部
【図１】
2013187836.tif 000003
【図２】
2013187836.tif 000004
【図３】
2013187836.tif 000005
【図４】
2013187836.tif 000006
【図５】
2013187836.tif 000007
【図６】
2013187836.tif 000008
【図７】
2013187836.tif 000009
【図８】
2013187836.tif 000010
【図９】
2013187836.tif 000011
【図１０】
2013187836.tif 000012
【図１１】
2013187836.tif 000013
【図１２】
2013187836.tif 000014
【図１３】
2013187836.tif 000015
【図１４】
2013187836.tif 000016
【図１５】
2013187836.tif 000017
【図１６】
2013187836.tif 000018